(57)【特許請求の範囲】
【請求項１】
人の存在を検出する人感センサを有する人感検出部と、周囲の明るさを検出する照度センサを有する照度検出部とを有する検出ユニットと；
人感検出部が配設される人感検出部配設開口と、照度検出部が臨むように配設される照度検出部配設孔とを有し、検出ユニットが収納配置される筐体と；
照度検出部配設孔を開閉可能となるように筐体に配設される遮蔽板と；
遮蔽板を外部から操作可能となるように筐体に配設されている操作部と；
を具備し、
前記遮蔽板は、縦方向に延在し前記照度検出部配設孔を遮蔽する遮蔽部と、遮蔽部の下端から横方向に延在する支持部と、前記筐体の前面側に突出する操作部嵌合部とを有する略Ｌ字状であって、
前記筐体は、前記支持部の上辺の１箇所及び下辺の２箇所を挟持するガイド部を裏側に有し、かつ、前記操作部嵌合部が挿通する操作部貫通孔が形成されており、
前記遮蔽板が前記筐体の裏側に配設されていることを特徴とする配線装置。
【発明の詳細な説明】
【技術分野】
【０００１】
本発明は、人の存在を検出するセンサ及び周囲の明るさを検出するセンサを有する配線装置に関する。 
【背景技術】
【０００２】
従来から人の存在を検出する人感センサ及び周囲の明るさを検出する照度センサを有する配線装置が知られている（例えば、特許文献１参照）。
【０００３】
このような配線装置は、例えば壁面などに設置されて照明装置の照明負荷の点灯を制御するというものであって、人感センサで人体を検出すると照明装置の照明負荷を点灯させるというものである。また、この配線装置は、周囲の明るさが明るく、照明負荷の点灯が必要ない場合には、人体を検出したとしても照度センサの検出値が閾値を越えないと照明装置へ点灯制御の信号が送信されないようになっているものである。さらにまた、周囲が明るい場合であっても人体検出時には、常に照明負荷を点灯（以下、「人感センサ優先点灯」という。）させたい場合、切替スイッチによって照度センサからの入力を電気的に強制的に遮断するという処理を行うことで人感センサ優先点灯も行えるというものである。
【０００４】
そして、このような配線装置は、人感センサや照度センサ及び切替スイッチが基板上に実装されているものであって、各々の入力を電気的に処理するものであった。
【特許文献１】特開平１０−１９９３８４号公報
【発明の開示】
【発明が解決しようとする課題】
【０００５】
しかしながら、従来技術では、人感センサ優先点灯をしたい場合の切替スイッチが基板上に電気的に接続されているものであるため、当該スイッチを配設する領域を基板上に確保しなければならず、基板の小形化が容易におこなえないという課題があった。
【０００６】
また、切替スイッチは、電気的接点を有するスイッチであるため、抵抗等と組合わせる配線パターンを形成する必要があり、より基板の小形化が困難であるとともに、部品点数が増加してしまうという課題があった。
【０００７】
本願発明は、上記に鑑みなされたものであり、人感センサ及び照度センサを備えながらも小形化を実現することができる配線装置を提供することを目的とする。
【課題を解決するための手段】
【０００８】
請求項１記載の配線装置は、人の存在を検出する人感センサを有する人感検出部と、周囲の明るさを検出する照度センサを有する照度検出部とを有する検出ユニットと；  人感検出部が配設される人感検出部配設開口と、照度検出部が臨むように配設される照度検出部配設孔とを有し、検出ユニットが収納配置される筐体と；照度検出部配設孔を開閉可能となるように筐体に配設される遮蔽板と；遮蔽板を外部から操作可能となるように筐体に配設されている操作部と；を具備し、前記遮蔽板は、縦方向に延在し前記照度検出部配設孔を遮蔽する遮蔽部と、遮蔽部の下端から横方向に延在する支持部と、前記筐体の前面側に突出する操作部嵌合部とを有する略Ｌ字状であって、前記筐体は、前記支持部の上辺の１箇所及び下辺の２箇所を挟持するガイド部を裏側に有し、かつ、前記操作部嵌合部が挿通する操作部貫通孔が形成されており、前記遮蔽板が前記筐体の裏側に配設されていることを特徴とする。
【０００９】
本発明及び以下の発明において、特に指定しない限り用語の定義及び技術的意味は次による。 
【００１０】
人感検出部が配設されるとは、人感検出部を構成する少なくとも一部が人感検出部配設開口から突出または対向するように設けられていればよい。また、照度検出部が臨むとは、照度センサが照度検出部配設孔と対向するように設けられる他、臨むように設けられることも含むものである。
【００１１】
遮蔽板は、機械的に照度センサの検出機能を遮断する手段であって、前記機能を有するように構成されるものであれば、特に限定しない。また操作部は、遮蔽板と一体で形成されていてもよく、遮蔽板を操作可能となるように設けられるものであればよい。
【００１３】
なお、本件発明のような配線装置は、規格上、外郭寸法の制限があるため、できるだけ小形化が図れることは、他の配線器具との組合わせを制限された寸法内であっても実現することもできるし、他機能を付加することも可能となるので、単なる小形化以上に大きな作用を有するものである。
【発明の効果】
【００１４】
請求項１記載の発明によれば、操作部の操作によって遮蔽板が筐体の照度センサ配設孔を開閉することができるため、人感センサの検出を優先させる人感センサ優先点灯機能の選択を機械的構造によって実現することができる。したがって、基板上に人感センサ優先点灯を行うための要素部品を配置しなくてもよいので、基板の小形化が可能となるとともに、電気部品点数を削減することができる。
【００１５】
また、遮蔽板及び遮蔽板の移動機構が筐体の外側に露出しないために、外観が低下することがない。また、支持部の上辺の１箇所及び下辺の２箇所を挟持するガイド部を設けたので、遮蔽板を安定して操作することができる一方、遮蔽板を筐体に取付けやすく組立性がよい配線装置となる。
【発明を実施するための最良の形態】
【００１６】
本実施形態について図面を参照して説明する。図１は、本実施形態の配線装置を示す正面図であり、図２は、本実施形態の配線装置を示す側面断面図であり、図３は図１の配線装置のカバーの裏側を示す背面図であり、図４及び図５は、本実施形態の配線装置の遮蔽板の動作を示す説明図である。
【００１７】
配線装置１は、カバー１０、ボディ１１及び前面プレート１３を有している。この前面プレート１３は、樹脂製材料からなり、図１，２に示すように、カバー１０に装着されるもので、配線装置１が図示しない取付枠に取付けられて壁面に設けられた場合に、壁面側（例えば屋内側）に露出されるものである。
【００１８】
ボディ１１は、図２の状態における上側に鎖錠端子１８Ａ等を有し、例えば壁面内から配説された電源線や図示しない照明装置と接続するための配線等が接続される端子部１８を有している。そして、ボディ１１のボディ側開口１１Ａには、上下二つの板材からなる基板１７のうち、下側基板１７Ｂが配設されるようになっている。
【００１９】
カバー１０は、カバー側開口１０Ａがボディ側開口１１Ａに設けられて、カバー１０とボディ１１とが筐体１２を形成している。 
【００２０】
そして、カバー１０は、前面プレート１３側であって、かつ、前面プレート１３よりも前方へ突出し、内部に検出ユニットである検出部１４を収納する検出部用カバー１４Ａが上側に設けられている。また、同じくカバー１０の前面側に操作部である人感センサ優先点灯用スイッチである切替スイッチ１５と、前記切替スイッチ１５の下側に検出部１４の動作を強制的に遮断する入切スイッチ１６が配設されている。
【００２１】
また、カバー１０の側面には、図示しない取付枠に係止するための係止爪１９が左右４箇所づつ設けられている。 
【００２２】
検出部１４は、レンズ２０Ａ内に図示しない人感センサ素子を有する人感検出部２０と、人感検出部２０の下側に位置するように照度センサ２１Ａを有する照度検出部２１とを有している。これら、各センサは、上側基板１７Ａに直接配設されている。そして、各センサで検出した情報は、上側基盤１７Ａに施された配線パターンを介して図示しない制御部に入力され、当該制御部で所定動作となるように制御されるものである。
【００２３】
なお、上側基板１７Ａと下側基板１７Ｂとは、配線によって電気的に接続されているものである。そして、主として上側基板１７Ａには、上述した各センサ、各センサ用配線パターン（要素部品含む）及び制御部が配設されている。また、下側基板１７Ｂには、各センサや制御部の駆動用電源を生成する重電系や、入切スイッチ１６等が配設されている。
【００２４】
ここで、カバー１０について、図３、図４、図５を参照して説明する。なお、図３は、配線装置１のカバー１０の裏側１０Ｂを示す背面図であり、図４及び図５は、配線装置１のカバー１０の表側１０Ｅを示し、かつ遮蔽板３の動作状態を示す説明図である。
【００２５】
カバー１０の裏面１０Ｂ側には、図３に示すように、レンズ２０Ａが挿通する人感検出部配設開口４０が設けられるとともに、前記人感検出部配設開口４０の下側に照度検出部配設孔である照度センサ配設孔４１が形成されている。
【００２６】
またカバー１０の表側１０Ｅには、図４、５に示すように、照度センサ配設孔４１の下側に操作部貫通孔１５Ａが形成されている。
【００２７】
照度センサ配設孔４１は、上側基板１７Ａに設けられた照度センサ２１Ａが対向（臨む）ように設けられるような位置に形成されているものである。
【００２８】
また、カバー１０の裏面１０Ｂには、遮蔽板３が配設されている。この遮蔽板３は、上端が人感検出部用開口４０よりは下側に位置し、かつ同じく上端が照度センサ配設孔４１と同位置または照度センサ配設孔４１よりは上方に位置するように縦方向に延在する遮蔽部３１を有している。また、遮蔽板３の前面側には、図４、５に示すように操作部貫通孔１５Ａから前面側に突出する操作部嵌合突起３２Ｆが形成されており、前記操作部嵌合突起３２Ｆが切替スイッチ１５に嵌合して切替スイッチ１５の操作に伴って遮蔽板３が移動するようになっている。
【００２９】
また遮蔽部３１の下端には、カバー１０の短方向へ延在する支持部３２が設けられており、遮蔽部３１及び支持部３２によって、略L字状の遮蔽板３が形成されている。 
【００３０】
そして、さらにカバー１０の裏面１０Bには、ガイド部が形成されている。このガイド部は、前記支持部３２の上辺３２Ａを挟持する上ガイド部４２Ａと、前記上ガイド部４２Ａと対向する位置であって、かつ前記支持部３２の下辺４２Ｂを挟持及び支持する断面Ｌ字状の下ガイド部４２Ｂとを有している。さらに、前記下ガイド部４２Ｂとカバー１０の短方向において略同位置となるような前記下ガイド部４２Ｂと同形状、同作用の下ガイド部４２Ｃが設けられている。
【００３１】
このようにして形成された遮蔽板３の支持部３２は、前記上ガイド部４２Ａ，下ガイド部４２Ｂ、４２Ｃにガイドされながらカバー１０の短方向左右に移動可能であるとともに、支持部３２の下辺３２Ｂの２箇所に設けられている突部３２Ｇ、３２Ｈが下ガイド４２Ｂを乗り越え、かつ前記支持部３２の両側辺３２Ｃ，３２Ｄがカバー１０の裏面１０Ｂの両側側に形成された凸部１０Ｃ，１０Ｂに当接することで左右の移動範囲が規制されるようになっている。
【００３２】
なお、図４に示したような遮蔽部３１が照度センサ配設孔４１を覆わない位置から、図５に示したような遮蔽部３１が照度センサ配設孔４１を覆う位置となるためには、下ガイド部４２Ｂを突部３２Ｇが乗り越え、さらに突部３２Ｈも乗り越えるとともに、カバー１０の裏側１０Ｂの凸部１０Ｄに支持部３２の側辺３２Ｄが当接して位置決めとなる。この２つの突部３２Ｇ，３２Ｈは、クリック感を生じさせる作用とともに、位置決めの作用も有するものである。ちなみに、図５の状態から図４の状態へとなる場合は、下ガイド部４２Ｂを突部３２Ｈが乗り越え、さらに突部３２Ｇも乗り越えるとともに、カバー１０の裏側１０Ｂの凸部１０Ｃに支持部３２の側辺３２Ｃが当接して位置決めとなる。
【００３３】
そして、遮蔽部３１が移動する過程において、下ガイド辺４２Ｃは、図４に示すように、遮蔽部３１が照度センサ配設孔４１を覆わない位置となる場合には、遮蔽部３１の側辺３２Ａと略対向する位置なるとともに、遮蔽部３１が照度センサ配設孔４１を閉塞する位置となる場合には、図５に示すように、支持部３２の側辺３２Ｃの近傍を支持する位置となる。
【００３４】
これに対し、対向するように配設されている上下ガイド部４２Ａ，４２Ｂは、支持部３２が移動する範囲において、図４、５に示すように、常に遮蔽部３１が設けられている以外の支持部３２の領域が支持される位置となるように設けられている。
【００３５】
このようにガイド部の各ガイド部４２Ａ，４２Ｂ、４２Ｃを設けているため、遮蔽板３の左右方向への移動を安定した状態でスムーズに実施することができる。また、補助的機能として、遮蔽部３１及び支持部３２の中間位置に突起３１Ｃ、３２Ｅと、当該突起３１Ｃ、３２Ｅが位置するスライド溝４３、４３がカバー１０の裏面１０Ｂに設けられているために、より遮蔽板３の移動がスムーズに行いやすくなっているものである。
【００３６】
さらに、各ガイド部４２Ａ，４２Ｂ、４２Ｃが３箇所のみに設けられているために、カバー１０に遮蔽板３を組み込む際に比較的容易に前記遮蔽板３をガイド部４２に係止することができるため作業性が低下することがない。また、一度遮蔽板３をガイド部４２に係止すると３箇所の各ガイド部４２Ａ，４２Ｂ、４２Ｃに挟持されるよって、容易には外れなくなるため、遮蔽板３の脱落等による切替スイッチ１５が操作不能となるような不具合が生じなくなる。
【００３７】
以上、本実施形態によれば、切替スイッチ１５の操作によって遮蔽板３がカバー１０の照度センサ配設孔４１を開閉することができるため、人感センサの検出を優先させる人感センサ優先点灯機能の選択を機械的構造によって実現することができる。したがって、基板１７上に人感センサ優先点灯を行うための要素部品を配置しなくてもよいので、基板１７（特に上基板１７Ａ）の小形化が可能となるとともに、電気部品点数を削減することができる。または、他機能も上基板１７Ａに付加することも可能となるので、汎用性が拡大する等、単なる小形化以上に大きな作用を有するものである。
【００３８】
また、本実施形態によれば、遮蔽板３の遮蔽部３１及び支持部３２がカバー１０の外側に露出しないために、外観が低下することがない。また、支持部３２の上辺３２Ａの１箇所に上ガイド部４２Ａ、下辺３２Ｂに下ガイド部４２Ｂ、４２Ｃを設けたので、遮蔽板３の操作性が良好であるとともに、遮蔽板３をカバー１０に取付けやすいので、組立性がよい。
【図面の簡単な説明】
【００３９】
【図１】本実施形態の配線装置を示す正面図
【図２】本実施形態の配線装置を示す側面断面図
【図３】図１の配線装置のカバーの裏側を示す背面図
【図４】本実施形態の配線装置の遮蔽板
【図５】本実施形態の配線装置の遮蔽板が照度センサ配設孔を閉塞する状態を示す説明図
【符号の説明】
【００４０】
１・・・配線装置、３・・・遮蔽板、１０・・・カバー、１１・・・ボディ、１４・・・検出ユニットである検出部、１５・・・操作部である切替スイッチ、１５Ａ・・・操作部貫通孔、２０・・・人感検出部、２１・・・照度検出部、３１・・・遮蔽部、３２・・・支持部、３２Ｆ・・・操作部嵌合部、４０・・・人感検出部配設開口である人感センサ配設開口、４１・・・照度検出部配設孔である照度センサ配設孔、４２・・・ガイド部、
【図１】
0004756355.tif 000002
【図２】
0004756355.tif 000003
【図３】
0004756355.tif 000004
【図４】
0004756355.tif 000005
【図５】
0004756355.tif 000006